(57)【特許請求の範囲】
【請求項１】
ドアセンサを組み込み、該ドアセンサの「開」および「閉」情報にて建造物の出入口を開閉する自動ドアに、これの開放時に前記出入口を気流的に遮断するためのエアーカーテン装置を取り付けてなり、
前記エアーカーテン装置は、これに自在に時間設定出来るタイマーおよび前記出入口に近づいてくる人を検知するエアーカーテンセンサを組み込んでなって、前記エアーカーテンセンサが前記出入口に近づいてくる人を検知すると、前記ドアセンサの「開」情報より先にエアーカーテン装置に作動情報を出してエアーカーテンを吹き出し、前記ドアセンサの「閉」情報にて前記タイマーが作動して、これの設定し得る時間の範囲内において設定した時間の経過後に、前記タイマーからの「閉」情報にて、エアーカーテンの吹き出しを停止することを特徴とする自動ドア連動型エアーカーテン装置。
【請求項２】
前記エアーカーテン装置に除菌イオン発生器を設けて、該除菌イオン発生器は、少なくとも前記エアーカーテン装置が作動している間作動して、前記エアーカーテン装置からのエアーカーテンに、前記除菌イオン発生器からの除菌イオンを供給する請求項１記載の自動ドア連動型エアーカーテン装置。
【請求項３】
前記エアーカーテン装置に薬剤噴霧装置を設けて、該薬剤噴霧装置は、少なくとも前記エアーカーテン装置が作動している間作動して、前記エアーカーテン装置からのエアーカーテンに、前記薬剤噴霧装置からの薬剤を供給する請求項１または２記載の自動ドア連動型エアーカーテン装置。
【発明の詳細な説明】
【技術分野】
【０００１】  本発明は、建造物の出入口に設けた自動ドアに、その開放時に出入口を気流的に遮断するためのエアーカーテン装置を取り付けて、自動ドアの開放時にも一定の遮断効果を有するようにした自動ドア連動型エアーカーテン装置に関する。
【背景技術】
【０００２】  今まで、建造物の出入口に設けた自動ドアに、その出入口を気流的に遮断するエアーカーテン装置を設置するケースはあった。その一例として、建造物の出入口に設けた自動回転ドアの外側及び内側通過開口のうち、建造物外側となる外側通過開口の上部にエアーカーテン装置を設けたものがある。そして、この例では、自動回転ドアを利用して人などが建造物に出入りする際、一時的に建造物の内側と外側とが開放状態となるが、エアーカーテン装置から常時エアーカーテンを吹き下ろすことで、一定の遮断効果を出そうとするものである（例えば、特開２００８−１０１３３１号公報参照）。
【先行技術文献】
【特許文献】
【０００３】
【特許文献１】  特開２００８−１０１３３１号公報
【発明の概要】
【発明が解決しようとする課題】
【０００５】  上記特許文献１のエアーカーテン利用の自動回転ドアは、人が建造物に出入りする際、一時的に建造物の内側と外側とが開いた状態となり、それ以外は閉じた状態であるので、常時エアーカーテンを吹き下ろして、自動回転ドアが閉じているのに、エアーカーテンにて気流的に遮断し続けて、空調負荷の軽減及び虫や粉塵などの侵入を阻止する意味が少なく、無駄となる。【０００７】  そこで、本発明は、上記事情に鑑みてなされたもので、エアーカーテンが有する気流的な遮断機能を、自動ドアが開いている時並びにその前後にだけ生かすようにした自動ドア連動型エアーカーテン装置を提供することを課題とする。
【課題を解決するための手段】
【０００８】  本発明は、上記課題を達成するために提案されたものであって、下記の構成からなることを特徴とするものである。
すなわち、請求項１記載の発明は、ドアセンサを組み込み、該ドアセンサの「開」および「閉」情報にて建造物の出入口を開閉する自動ドアに、これの開放時に前記出入口を気流的に遮断するためのエアーカーテン装置を取り付けてなり、前記エアーカーテン装置は、これに自在に時間設定出来るタイマーおよび前記出入口に近づいてくる人を検知するエアーカーテンセンサを組み込んでなって、前記エアーカーテンセンサが前記出入口に近づいてくる人を検知すると、前記ドアセンサの「開」情報より先にエアーカーテン装置に作動情報を出してエアーカーテンを吹き出し、前記ドアセンサの「閉」情報にて前記タイマーが作動して、これの設定し得る時間の範囲内において設定した時間の経過後に、前記タイマーからの「閉」情報にて、エアーカーテンの吹き出しを停止することを特徴とする自動ドア連動型エアーカーテン装置である。【０００９】  また、請求項２記載の発明は、前記エアーカーテン装置に除菌イオン発生器を設けて、該除菌イオン発生器は、少なくとも前記エアーカーテン装置が作動している間作動して、前記エアーカーテン装置からのエアーカーテンに、前記除菌イオン発生器からの除菌イオンを供給することを特徴とする自動ドア連動型エアーカーテン装置である。【００１０】  そして、請求項３記載の発明は、前記エアーカーテン装置に薬剤噴霧装置を設けて、該薬剤噴霧装置は、少なくとも前記エアーカーテン装置が作動している間作動して、前記エアーカーテン装置からのエアーカーテンに、前記薬剤噴霧装置からの薬剤を供給することを特徴とする自動ドア連動型エアーカーテン装置である。【００１１】  上記請求項１の発明による作用は次の通りである。すなわち、エアーカーテンセンサが出入口に近づいてくる人を検知すると、ドアセンサの「開」情報より先に  エアーカーテン装置に作動情報を出してエアーカーテンを吹き出し、ドアセンサの「開」情報により自動ドアが開き、ドアセンサの「閉」情報にて自動ドアが閉じると共に、タイマーが作動して、これの設定した時間の経過後に、タイマーからの「閉」情報にて、エアーカーテン装置はエアーカーテンの吹き出しを停止する。【００１２】  上記請求項２の発明による作用は、エアーカーテン装置が作動している間、そのエアーカーテンに除菌イオン発生器からの除菌イオンを供給する。【００１３】  上記請求項３の発明による作用は、エアーカーテン装置が作動している間、そのエアーカーテンに薬剤噴霧装置からの薬剤を供給する。
【発明の効果】
【００１４】  以上詳述したように、本発明によれば、以下のような効果がある。
請求項１記載の発明は、建造物内の空調負荷を、ドアセンサとエアーカーテンセンサとの連携並びにタイマーを組み合わせで軽減できるようにし、出入口の自動ドアが開く前に、エアーカーテン装置を作動させ、自動ドアのドア面に付着している虫や粉塵を、エアーカーテンにより事前に吹き飛ばし、自動ドアが開くと共に、これら虫や粉塵が直ちに建造物内に入らないようにでき、一方、自動ドアが閉じたあとも、タイマーで設定した時間エアーカーテン装置からエアーカーテンを吹き出し、自動ドアのドア面に付着している虫や粉塵を吹き飛ばし、自動ドアが開いている時に、エアーカーテンが有する気流的な遮断機能を生かすことができ、建造物内の空調負荷を軽減でき、さらに虫や粉塵などの侵入を防ぐことが出来る効果がある。」とします。【００１５】  請求項２記載の発明は、上記の効果に加えて、除菌イオンの有する効果を享受できる。【００１６】  請求項３記載の発明は、上記の効果に加えて、薬剤の有する効果を享受できる。
【図面の簡単な説明】
【００１７】
【図１】本発明の実施の形態を示す自動ドア連動型エアーカーテン装置を建造物の出入口に設置した状態の斜視図である（実施例１）。
【図２】図１の自動ドア連動型エアーカーテン装置を構成するエアーカーテン装置の正面図である（実施例１）。
【図３】エアーカーテン装置の断面図である（実施例１）。
【図４】自動ドア連動型エアーカーテン装置を制御するためのブロック図である（実施列１）。
【図５】自動ドア連動型エアーカーテン装置を制御するための他のブロック図である（実施例１）。
【図６】本発明の他の実施の形態を示す自動ドア連動型エアーカーテン装置を建造物の出入口に設置した状態の断面図である（実施例２）。
【図７】図６の自動ドア連動型エアーカーテン装置を構成するエアーカーテン装置の断面図である（実施例２）。
【図８】図６の自動ドア連動型エアーカーテン装置を制御するためのブロック図である（実施例２）。
【図９】図６の自動ドア連動型エアーカーテン装置を制御するための他のブロック図である（実施例２）。
【発明を実施するための形態】
【００１８】
【実施例１】
【００１９】  図１〜３において、自動ドア連動型エアーカーテン装置１は、ドアセンサ６を組み込み、このドアセンサ６の「開」および「閉」情報にて建造物２の出入口３を開閉する自動ドア４に、これの開放時に出入口３を気流的に遮断するためのエアーカーテン装置５を取り付けてなるものであり、このエアーカーテン装置５は、これに自在に時間設定出来るタイマー８（図４参照）および出入口３に近づいてくる人を検知するエアーカーテンセンサ３１を組み込んでなって、このエアーカーテンセンサ３１が出入口３に近づいてくる人をドアセンサ６よりも先に検知して、エアーカーテン装置５に運転指令を出してエアーカーテン７を吹き出し、一方、ドアセンサ６の「閉」情報にてタイマー８が作動して、これの設定し得る時間の範囲内において設定した時間の経過後に、タイマー８からの「閉」情報にて、エアーカーテン７の吹き出しを停止するものである。【００２０】  自動ドア４は、出入口３の外側及び内側にドアセンサ６が組み込まれ、人の存否を検知したドアセンサ６の情報に基づいて、後述する制御部３０から発信される「開」及び「閉」の情報、すなわち、運転指令及び停止指令に基づき開閉するものである。この自動ドア４は、片開きタイプ、両開きタイプ、回転タイプなど種々あるが、その形式を問わない。【００２１】  前記エアーカーテン装置５は、機体１０に吸込口１１とエアーカーテン７を吹き出す吹出口１２とを備え、これら吸込口１１と吹出口１２との間の機体１０内に送風機１３を配設し、この送風機１３と吹出口１２との間の機体１０内に除菌イオン発生器１４を設けてなり、送風機１３からのエアー流１５に除菌イオン発生器１４からの除菌イオンＲを放出すると共に、吹出口１２からエアーカーテン７を吹き出して、除菌イオン含有のエアーカーテン７とするものである。なお、除菌イオン発生器１４は、少なくともエアーカーテン装置５が作動している間作動して、エアーカーテン７に除菌イオンＲを供給し続けるものである。【００２２】  前記機体１０は、偏平な箱体であり、正側面１０ａの上部に前記吸込口１１が設けられ、底面１０ｂに前記吹出口１２が設けられている。機体１０内は、仕切り板１６により区切られ、吸込側室１７と除菌イオン供給室１８とに分かれている。これらの吸込側室１７と除菌イオン供給室１８とを跨いで、前記送風機１３が配設されている。さらに、前記除菌イオン発生器１４は、仕切り板１６の吸込側室１７に取り付けられ、除菌イオンＲの放出部１４ａが除菌イオン供給室１８側に臨んでいる。そして、送風機１３と除菌イオン発生器１４との間の除菌イオン供給室１８に混合器１９が取り付けられている。この混合器１９は、除菌イオンＲの機能を損なうことなく、効率よく混合出来るものであれば特に限定がない。この例では二枚の乱流板２０を設けてなるものであり、送風機１３からの前記エアー流１５に乱流を起こさせ、放出部１４ａから除菌イオンＲが放出された際、効率良く除菌イオンＲを混合するものである。なお、この混合器１９の設置は、必須条件ではない。【００２３】  機体１０の吹出口１２は、エアーカーテン７を形成且つ吹き出すものであり、このエアーカーテン７は、自動ドア４が開いている際、その開��を遮断するものであるから、遮断するのに充分な到達距離とエアー量とをエアーカーテン７に付与しなければならない。したがって、吹出口１２の内側に整流板２１を平行に配設して、エアーカーテン７を整流するための助走スペースを与えることで、必要な到達距離を得るようにしている。【００２４】  前記送風機１３は、自動ドア４が開いている際の開口を遮断するのに充分な到達距離とエアー量とを、エアーカーテン７に付与するのに必要な風量と風圧とがあれば、特に限定がないが、幅広で高い開口を遮断するには貫流式の送風機がベターである。【００２５】  前記除菌イオン発生器１４は、除菌イオンＲを発生させ、人体に対して安全性を確保しつつエアー中に浮遊している菌やウイルスを死滅させ得るものであれば、特に限定がない。更に、これに加えて人や物体に付着している菌やウイルスも死滅させる除菌イオン発生器１４であれば、なおさらベターである。【００２６】  そして、図１ないし３に示す自動ドア連動型エアーカーテン装置１は、図４に示すように、自動ドア４の外側及び内側に設けられたドアセンサ６によって人の存在が検知されると、その情報が制御部３０に送られ、この制御部３０にて自動ドア４、エアーカーテン装置５及び除菌イオン発生器１４に運転指令が出され、自動ドア４が開かれると共に、エアーカーテン装置５及び除菌イオン発生器１４も運転されて、自動ドア４が開かれることによって生じた開口が、除菌イオン含有のエアーカーテン７が吹出口１２から吹き出されることにより、空調的に遮断されることになる。【００２７】  その後、ドアセンサ６による人の不存在を検知すると、その情報を制御部３０に送り、この制御部３０にて自動ドア４、エアーカーテン装置５及び除菌イオン発生器１４に停止指令が出される。しかしながら、エアーカーテン装置５及び除菌イオン発生器１４には、自在に時間設定出来るタイマー８が介在しているから、この停止指令に基づきタイマー８が作動し、設定した時間が経過した後、制御部３０による停止指令が実行されて、エアーカーテン装置５及び除菌イオン発生器１４の運転が停止される。【００２８】  なお、図２，３、５に示すように、エアーカーテン装置５にエアーカーテンセンサ３１が組み込まれていると、建造物２の出入口３に近づいて来る人が、ドアセンサ６による人の存在の検知より先に検知され、その情報が制御部３０に送られるから、この制御部３０にて、運転指令が自動ドア４よりも先にエアーカーテン装置５及び除菌イオン発生器１４に出されて、自動ドア４が閉じられているにもかかわらず、除菌イオン含有のエアーカーテン７が吹き出されることになる。このため、閉じられている自動ドア４のドア面に付着していた虫や粉塵が事前に除去され、なお一層、虫や粉塵などの侵入を防ぐことが出来る。【００２９】  なお、図１〜３に示す自動ドア連動型エアーカーテン装置１につき、図４及び５に示すブロック図において、タイマー８、除菌イオン発生器１４、エアーカーテンセンサ３１が存在する場合について説明したが、これらタイマー８及び除菌イオン発生器１４が無くても、あるいはエアーカーテンセンサ３１が無くても、自動ドア連動型エアーカーテン装置１を運転することは出来る。【０��３０】
【実施例２】
【００３１】  図６ないし至９は、本発明の他の実施の形態を示す自動ドア連動型エアーカーテン装置１Ａであり、図１ないし図５の実施の形態との相違点は、ドアセンサ６Ａがエアーカーテン装置５に組み込まれ、且つ、除菌イオン発生器１４に替えて、薬剤噴霧装置からの噴霧薬剤を供給する供給口３２がエアーカーテン装置５Ａに設けられている点にある。したがって、ドアセンサ６Ａは、エアーカーテン装置５Ａの下面やエアーカーテン装置５Ａの反対側に位置する出入口３上部に取り付けられることになる。ドアセンサ６及び６Ａ自体は、自動ドア４に組み込まれていようと、エアーカーテン装置５Ａに組み込まれていようと、特に差はない。図１ないし図５のドアセンサ６は、人の重さを感知することで、人の存否を検知する方式を意識しているのに対し、ドアセンサ６Ａは、人の姿や人の発する熱を感知して、人の存否を検知する方式を意識しているが、いずれも限定的ではない。【００３２】  また、薬剤噴霧装置は、薬剤を貯留且つ噴霧させるものであり、その噴霧手段としては、強制的な加熱手段や超音披振動手段などがあるが、自然蒸散による場合も考えられる。要は薬剤を必要とする量が必要に応じて噴霧供給出来れば良く、噴霧手段を格別限定しない。なお、薬剤としては、主に除菌剤、防虫剤などが考えられるが、芳香剤や消臭剤などであって良く、これも特に限定がない。そして、その他の構成、作用は図１ないし５に示す自動ドア連動型エアーカーテン装置１と大差なく、図面に符号を付してその詳細な説明を省略する。【００３３】  以上、本発明の実施例１、２を説明したが、具体的な構成はこれに限定されず、本発明の要旨を逸脱しない範囲での変更・追加、各請求項における他の組み合わせにかかるものも、適宜可能であることが理解されるべきである。
【産業上の利用可能性】
【００３４】  本発明の自動ドア連動型エアーカーテン装置は、エアーカーテンが有する気流的な遮断機能を、自動ドアが開いている時並びにその前後に生かして、空調負荷の軽減及び虫や粉塵などの侵入を阻止したいような場合に、利用可能性が極めて高くなる。
【符号の説明】
【００３５】１、１Ａ              自動ドア連動型エアーカーテン装置
２                    建造物
３                    出入口
４                    自動ドア
５、５Ａ              エアーカーテン装置
６、６Ａ              ドアセンサ
７                    エアーカーテン
８                    タイマー
１０                  機体
１０ａ                正側面
１０ｂ                底面
１１                  吸込口
１２                  吹出口
１３                  送風機
１４                  除菌イオン発生装置
１４ａ                放出部
１５                  エアー流
１６                  仕切り板
１７                  吸込側室
１８                  除菌イオン供給室
１９                  混合器
２０                  乱流板
２１                  整流板
３０                  制御部
３１                  エアーカーテンセンサ
３２                  供給口
【図１】
0005641475.tif 000002
【図２】
0005641475.tif 000003
【図３】
0005641475.tif 000004
【図４】
0005641475.tif 000005
【図５】
0005641475.tif 000006
【図６】
0005641475.tif 000007
【図７】
0005641475.tif 000008
【図８】
0005641475.tif 000009
【図９】
0005641475.tif 000010